(57)【要約】【課題】軸筒内に、ばねにより後方に付勢して前後に移動可能に収容した筆記体の筆記先端部を、軸筒内に配したカム溝と、固定カムと、回転カムとノック体で構成されたノック式繰出機構により、筆記体が回転カムの回転とともに回転して軸筒の先端開口部より出没するノック式筆記具において、ノック体のノック操作時における回転カムにより発生するノック音を低減したノック式筆記具を提案する。【解決手段】回転カム８の先端面８ａに、回転抑制部材１６を接着し、該回転抑制部材１６の周側面１６ａが軸筒２の内壁面に当接させて設ける。回転抑制部材１６に、空気通路孔１７を設けて、ボールペンレフィル６の空間部１２は、尾栓１１の空気抜孔１３と凹溝１４、回転抑制部材１６の空気通路孔１７、回転カム８の貫通空間部１８を通して軸筒２の外部と連通させる。【選択図】図１
2009255427.tif 000002
【特許請求の範囲】
【請求項１】
軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に当接し後端で固定カムに連接しカム溝に沿って前後に移動可能に設けた回転カムと、固定カムを押圧するためのノック体で構成されたノック式繰出機構により、筆記体が回転カムの回転とともに回転して軸筒の先端開口部より出没させるノック式筆記具において、前記回転カムと筆記体との間に、少なくとも一部が軸筒の内壁面に当接するように回転抑制部材を介在し、および／または前記筆記体の周側面に、少なくとも一部が軸筒の内壁面に当接するように回転抑制部材を設けて、ノック操作時の回転カムの回転力や回転スピードを弱めたことを特徴とするノック式筆記具。
【発明の詳細な説明】
【技術分野】
【０００１】
本発明は、カム溝、固定カム、回転カムとおよびノック体で構成されたノック式繰出機構を有したノック式筆記具に関する。
【背景技術】
【０００２】
従来より、軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に当接し後端で固定カムに連接しカム溝に沿って前後に移動可能に設けた回転カムと、固定カムを押圧するためのノック体で構成されたノック式繰出機構により、筆記体が回転カムの回転とともに回転して軸筒の先端開口部より出没させるノック式筆記具は知られている。こうしたノック式筆記具においては、ノック体を押圧すると、ノック体に押圧された固定カムは、固定カムに設けた突起がカム溝に係合しているので回転することなく前進し、回転カムも、該回転カムに設けたカム突起がカム溝に係合して前記突起により押圧されるので、固定カムに連動して前進する。回転カムに当接した筆記体も連動して前進し、筆記先端部を軸筒の先端開口部から突出する。回転カムに設けたカム突起がカム溝の先端に来ると回転してカム溝の係止部に係止し、回転カムの後退は抑制されるので、筆記先端部は軸筒の先端開口部から突出した状態を維持する。筆記先端部を軸筒内に没入させるには、再度ノック体を押圧して回転カムを前進させて、回転カムは回転して回転カムのカム溝の係止部との係止を解除する。それにより、回転カムおよび固定カムはばねにより後端側へ付勢された筆記体を介して後方へ押圧されるので後退し、筆記体も後退して筆記先端部は軸筒内に没入する。
【０００３】
しかし、こうしたカム溝、回転カム、固定カムとで構成される繰出機構を有したノック式筆記具においては、筆記体の筆記先端部を軸筒の先端開口部から突出させるためのノック操作時に、かならずノック音が発生していた。こうしたノック音は、会議中等、僅かな音が響く環境下においては、周囲の人達に不快感を与える虞がある。また高価格な筆記具に至っては、必要以上に大きいノック音は高級感を損ねるという問題がある。本発明者は、こうしたノック音を低減するために種々検討した結果、ノック音は、回転カムが回転してカム溝の係止部に係止する際の衝接音であり、また筆記体の筆記先端部を軸筒の先端開口部に没入させるためのノック操作により、回転カムは前進して回転し、カム突起が隣のカム溝の壁面に衝接した際に発生する衝接音であることが判った。
【０００４】
この衝接音の発生の原因について、図７〜図９を用いて詳述するが、図７は一般的な固定カムの側面図であり、図８は一般的な回転カムの側面図であり、図９は従来のノック式ボールペンにおけるカム溝と、固定カムの凹凸部と突起と、回転カムの噛合部とカム突起の位置関係を示した概念図である。
【０００５】
一般的に固定カム５１は、図７に示すように、先端に山型状の凹凸部５２を有し、外周面に、筆記具の軸筒内に配したカム溝に係合する複数の突起５３を周状に配列した形状となっており、突起５３は凹凸部５２の頂部５２ａの線状（一点差線状）に位置するように形成してある。一般的に回転カム５４は、図８に示すように、カム溝に係合する複数のカム突起５５を外周面に周状に設け、カム突起５５の後端（図において上側部分）を前記凹凸部５２に噛合う傾斜面５６ａで構成した噛合部５６を設けてある。
【０００６】
図９に示すように、固定カム５１の突起５３および回転カム５４のカム突起５５をカム溝５７に係合した際に、凹凸部５２の頂部５２ａは噛合部５６の傾斜面５６ａの中間点に位置するように設けてある。ノック体（図示せず）を軸筒の先端方向に押圧すると、ノック体に連動して固定カム５１は深いカム溝５７−１と浅いカム溝５７−２に係合した突起５３に導かれて、固定カム５１に連接した回転カム５４は深いカム溝５７−１に係合したカム突起５５ａ、５５ｂに導かれて前進する。カム突起５５ａ、５５ｂが深いカム溝５７−１の先端に達してカム溝５７−１から離脱すると、固定カム５１の凹凸部５２の頂部５２ａは回転カム５４の噛合部５６の傾斜面の中間に位置しており、回転カム５４はばね（図示せず）により後方へ付勢された筆記体（図示せず）の後端部と当接しているので、回転カム５４は後方へ後退しようとして右側から左側に回転し（図において、噛合部５６の傾斜面５６ａが右下がりのため）、回転カム５４の噛合部５６は固定カム５１の凹凸部５２を滑って、カム突起５５ａは突片５８ａの先端の傾斜壁面５９−１に衝接する。この時に、１つ目のノック音が発生する。
【０００７】
次に、回転カム５４のカム突起５８ａの噛合部５６が前記傾斜壁面５９−１を滑り、カム突起５５ａの後端（図において上側）が係止部６０を構成する隣の突片５８ｂに衝接して係止部６０に係止する。この時に、回転カム５４のカム突起５５ａが突片５８ｂに衝接することによる２つ目のノック音が発生する。
【０００８】
筆記体の筆記先端部の軸筒の先端開口部への没入時は、ノック体（図示せず）の押圧により固定カム５１および回転カム５４は前進し、前記した理由と同様な理由から回転カム５４が後方へ後退しようとして回転し（図において右側から左側方向に）、係止部６０より離脱すると、回転カム５４の噛合部５６は固定カム５１の凹凸部５２を滑って、カム突起５５ａは突片５８ｂの先端の傾斜壁面５９−２に衝接する。この時に、３つ目のノック音が発生する。
【０００９】
次に、回転カム５４のカム突起５８ａの噛合部５６が前記傾斜壁面５９−２を滑り、カム突起５５ａの後端（図において上側）が隣の突片５８ｃの壁面６１に衝接して、カム溝５７−１に沿って後退し、元の位置に復帰する。この時に、回転カム５４のカム突起５５ａが突片５８ｃに衝接することによる４つ目のノック音が発生する。
【００１０】
したがって、こうした４つのノック音を低減するには、回転カムの回転力や回転スピードを弱めればよいことが判り、本発明に至った。筆記体が回転カムの回転とともに回転して軸筒の先端開口部より出没させるノック式筆記具においては、回転カムの回転力や回転スピードを弱めるには、少なくとも一部が軸筒の内壁面に当接する回転抑制部材を回転カムや筆記体に設けて直接的にあるいは間接的に回転カムの回転に対し付加がかかるようにすることで問題を解消できるが、従来、押出式ボールペン（ノック式ボールペン）において、回転カム（２０２）とボール付インキ管（３）の末端との間に筆圧緩衝用の弾性部材（５）を介在させた考案が実開昭５７−１６３３７６号公報により提案されており、筆圧緩衝用の弾性部材（５）としてコイルスプリングが開示されているが、あくまでも筆圧緩衝用としての弾性部材であり、回転カム（２０２）が回転する際にその回転力や回転スピードを弱めるものではない。また、特許第３１９７４４４号公報には、リフィールの後端が衝合するノック部の衝接部に衝撃吸収のための弾性体を設ける技術が開示されているが、このノック式筆記具は、カム溝、固定カム、回転カムを具備したノック式の繰出機構ではなく、前記弾性体は回転カムの回転力や回転スピードを弱めるものではない。
【特許文献１】実開昭５７−１６３３７６号公報
【特許文献２】特許第３１９７４４４号公報
【発明の開示】
【発明が解決しようとする課題】
【００１１】
本発明は、軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に当接し後端で固定カムに連接しカム溝に沿って前後に移動可能に設けた回転カムと、固定カムを押圧するためのノック体で構成されたノック式繰出機構により、筆記体が回転カムの回転とともに回転して軸筒の先端開口部より出没させるノック式筆記具において、ノック体のノック操作時における回転カムにより発生するノック音を低減したノック式筆記具を提案するものである。
【課題を解決するための手段】
【００１２】
本発明は、
「１．軸筒内にばねにより後方に付勢して前後に移動可能に収容した筆記体の筆記先端部を、カム溝と、該カム溝に係合する突起を周側部に有し先端に凹凸部を有したカム溝に沿って前後に移動可能に設けた固定カムと、カム溝に係合するカム突起を周側部に有し前記凹凸部に噛合う噛合部を有した前端で筆記体の後端部に当接し後端で固定カムに連接しカム溝に沿って前後に移動可能に設けた回転カムと、固定カムを押圧するためのノック体で構成されたノック式繰出機構により、筆記体が回転カムの回転とともに回転して軸筒の先端開口部より出没させるノック式筆記具において、前記回転カムと筆記体との間に、少なくとも一部が軸筒の内壁面に当接するように回転抑制部材を介在し、および／または前記筆記体の周側面に、少なくとも一部が軸筒の内壁面に当接するように回転抑制部材を設けて、ノック操作時の回転カムの回転力や回転スピードを弱めたことを特徴とするノック式筆記具。」
である。
【００１３】
本発明においては、回転抑制部材の少なくとも一部が軸筒の内壁面に当接するように設けることが重要であるが、従来のノック式筆記具においては、ノック式繰出機構を構成するカム溝の設け方が異なるものがある。図５および図６を用いて簡単に説明すると、従来の一般的なノック式ボールペン１は、軸筒２の後端部２ａの内壁面にカム溝３を形成して設けてあり、ノック体４を軸筒２の後端開口部２ｂより突出させて設けてある。ノック体４の前方には、前記した先端に山型状の凹凸部（図示せず、図７を参照）を有し、外周面に、前記カム溝３に係合する複数の突起（図示せず、図７を参照）を周状に配列してなる固定カム部５を一体に設けてあり、突起をカム溝３に係合してある。ノック体４の前方には、前記カム溝３に係合する複数のカム突起（図示せず、図８を参照）を外周面に周状に設け、固定カム部５の凹凸部に噛合う噛合部（図示せず、図８を参照）を有し、ボールペンレフィル６の後端６ａが係止する係止部７を有した回転カム８を、カム突起をカム溝３に係合し、カム溝３に沿って前後に移動可能に設けてある。回転カム８にはノック体４内に位置する軸部９を有している。
【００１４】
こうしたノック繰出式機構のカム溝に関しては、回転カムの形状の差や、筆記体の筆記先端部を軸筒の先端開口部から突出させるための回転カムの前方へ移動距離の設定により、図５に示すように、ボールペンレフィル６のボールペンチップ（図示せず）が軸筒２内に没入した状態において、回転カム８の先端面８ａがカム溝３を構成する突片１０の先端１０ａより前方（図５において左側）に位置するように設けたものと、図６に示すように、ボールペンレフィル６のボールペンチップが軸筒２内に没入した状態において、回転カム８の先端面８ａがカム溝３を構成する突片１０の先端１０ａより後方（図６において右側）に位置するように設けたものとがある。当然に、回転カムと筆記体との間に介在する回転抑制部材が、回転カムがカム溝に沿って前後動するのを妨げないように設けることが大切である。
【００１５】
因みに、図５および図６に示すノック式ボールペン１においては、ボールペンレフィル６の後端に尾栓１１を挿着してあり、尾栓１１にはボールペンレフィル６内のインキ（図示せず）の後方の空間部（図示せず）とボールペンレフィル６の外部を連通する空気孔（図示せず）を設けてある。また、尾栓１１の後端面１１ａには前記空気孔に接続した凹溝（図示せず）を設けて有り、回転カム８の係止部７に形成した突起（図示せず）が係合することで、回転カム８の回転にともない連動してボールペンレフィル６も回転可能となっている。
【００１６】
図５のような前者の構造のノック式筆記具においては、前記回転カムの筆記体の後端部に当接する部分と筆記体の後端部との間に回転抑制部材を配することが可能となるが、図６のような後者の構造のノック式筆記具においては、筆記体の筆記先端部が軸筒内に没入した状態において、回転抑制部材がカム溝を構成する突片に当接する等して回転カムの後退を阻害しないように設けることが重要である。そのためには、回転抑制部材をカム溝を構成する突片の先端より、筆記体の筆記先端部が出没する軸筒の先端開口部側の位置に設ける必要がある。筆記体は回転カムの回転とともに回転して軸筒の先端開口部より出没するので、ノック操作時の回転カムの回転にともなう筆記体の回転の回転力や回転スピードを弱めることで、間接的に回転カムの回転の回転力や回転スピードを弱めることが可能である。したがって、このような構造のノック式筆記具においては、回転抑制部材を筆記体の周側面に設けることで、目的を達成できる。
【００１７】
前記回転抑制部材としては、表面の摩擦抵抗の高いものが好ましい。例えば、固形ゴムや発砲プラスチック、あるいは表面を粗面加工したプラスチック、金属、木材、皮革、紙材、布材、石材、粘土等さまざまなものが挙げられ、各材料を単独あるいは２種以上を組み合わせて用いることもできる。回転抑制部材として好適には、種類の多さや加工性、耐久性また軽量かつ入手のしやすさから鑑みて、固形ゴムが良い。固形ゴムとしては、天然ゴム、イソプレン系ゴム、ブタジエン系ゴム、ジエン系特殊ゴム、オレフィン系ゴム、エーテル系、ポリスルフィド系およびウレタン系ゴム、フッ素系ゴム、シリコーンゴム、熱可塑性エラストマー等がある。
【発明の効果】
【００１８】
本発明のノック式筆記具は前記したような構造なので、ノック操作により、筆記体の筆記先端部を軸筒の先端開口部から出没させる際の、回転カムのカム突起がカム溝の係止部に係止するときに係止部を形成する突片に衝接して発生する衝接音や、筆記体の筆記先端部を軸筒の先端開口部から没入させる際の、回転カムのカム突起が隣のカム溝に係合する際にカム溝を形成する突片に衝接して発生する衝接音は、回転カムの回転力や回転スピードが弱まるので、低減する。
【発明を実施するための最良の形態】
【００１９】
本発明のノック式筆記具は、従来より知られている、軸筒内にばねにより後方に付勢して前後に移動可能に収容した筆記体の筆記先端部を、カム溝と、固定カムと、回転カムと、固定カムを押圧するためのノック体で構成されたノック式繰出機構により、筆記体が回転カムの回転とともに回転して軸筒の先端開口部より出没させるノック式筆記具において、回転カムと筆記体との間に、および／または筆記体の周側面に、少なくとも一部が軸筒の内壁面に当接するように回転抑制部材を設けるものである。
【実施例】
【００２０】
本実施例を図１〜図４を用いて説明するが、本実施例ではノック式筆記具としてノック式ボールペンを例にあげて述べるが、これに限定されるものではない。図面中、同じ部材、同じ箇所を示す場合には、同じ符号を付してある。図１は、本発明の第１の実施例を示す、筆記体の筆記先端部が軸筒内に没入した状態において回転カムの先端面がカム溝を構成する突片の先端より前方に位置した繰出構造を有するノック式ボールペンの繰出機構部分の縦断面図である。図２は、本発明の第２の実施例を示す、筆記体の筆記先端部が軸筒内に没入した状態において、回転カムの先端面がカム溝を構成する突片の先端より前方に位置した繰出構造を有するノック式ボールペンの繰出機構部分の縦断面図である。図３は、本発明の第３の実施例を示す、筆記体の筆記先端部が軸筒内に没入した状態において回転カムの先端面がカム溝を構成する突片の先端より前方に位置した繰出構造を有するノック式ボールペンの繰出機構部分の縦断面図である。図４は、本発明の第４の実施例を示す、筆記体の筆記先端部が軸筒内に没入した状態において回転カムの先端面がカム溝を構成する突片の先端より後方に位置した繰出構造を有するノック式ボールペンの繰出機構部分の縦断面図である。
【００２１】
図１に示す第１の実施例のノック式ボールペン１は、従来のノック式ボールペンと同様な構造であり、軸筒２の後端部２ａの内壁面にカム溝３を形成して設けてあり、ノック体４を軸筒２の後端開口部２ｂより突出させて設けてある。固定カム部５の前方には、先端に山型状の凹凸部（図示せず、図７を参照）を有し、外周面に、前記カム溝３に係合する複数の突起（図示せず、図７を参照）を周状に配列してなる固定カム部５を一体に設けてあり、突起をカム溝３に係合してある。固定カム部５の前方には、前記カム溝３に係合する複数のカム突起（図示せず、図８を参照）を外周面に周状に設け、固定カム部５の凹凸部に噛合う噛合部（図示せず、図８を参照）を有し、ボールペンレフィル６の後端６ａが係止する係止部７を有した回転カム８を、カム突起をカム溝３に係合し、カム溝３に沿って前後に移動可能に設けてある。回転カム８にはノック体４内に位置する軸部９を有している。ボールペンレフィル６のボールペンチップ（図示せず）が軸筒２内に没入した状態において、回転カム８の先端面８ａはカム溝３を構成する突片１０の先端１０ａより前方に位置している。
【００２２】
ボールペンレフィル６の後端には尾栓１１を挿着してあり、尾栓１１にはボールペンレフィル６内のインキ（図示せず）の後方の空間部１２とボールペンレフィル６の外部を連通する空気抜孔１３を設けてある。また、尾栓１１の後端面１１ａには前記空気抜孔１３に接続した凹溝１４を設けてあり、回転カム８の係止部７に対向した２カ所に設けた突起１５が係合することで、回転カム８の回転にともない連動してボールペンレフィル６も回転可能となっている。
【００２３】
本発明の第１の実施例では、前記回転カム８の先端面８ａに、ニトリルゴムからなる回転抑制部材１６を接着し、該回転抑制部材１６の周側面１６ａが軸筒２の内壁面に当接させて設けてある。回転抑制部材１６には、空気通路孔１７を設けてあり、ボールペンレフィル６の空間部１２は、尾栓１１の空気抜孔１３と凹溝１４、回転抑制部材１６の空気通路孔１７、回転カム８の貫通空間部１８を通して軸筒２の外部と連通している。
【００２４】
回転抑制部材１６を回転カム８の先端面８ａに設けることで、回転カム８の係止部７に形成した突起１５が尾栓１１の凹溝１４に係合できないが、回転抑制部材１６の表面の摩擦抵抗が高いので、尾栓１１と回転抑制部材１６とが当接することで、回転カム８の回転にともない尾栓１１を介してボールペンレフィル６も回転可能となる。図示していないが、回転抑制部材１６に尾栓１１の凹溝１４に係合可能な突起を設けて、回転カム８の回転にともないボールペンレフィル６が確実に回転するようにしても良い。ノック体４へのノック操作による回転カム８の回転の際には、回転抑制部材１６の周側面１６ａが軸筒２の内壁面に当接しており、それが抵抗となって回転カム８の回転力や回転スピードが弱まる。
【００２５】
図２に示す第２の実施例は、前記ノック式ボールペン１において、回転カム８の先端面８ａに、コ字型形状に形成したニトリルゴムからなる回転抑制部材１９を接着し、その回転抑制部材１９の凹部２０にボールペンレフィル６の後端部６ａや尾栓１１を挿入し、回転抑制部材１９と、ボールペンレフィル６の後端部６ａの周側面６ａａと尾栓１１の周側面１１ａとを当接し、さらに回転抑制部材１９の周側面１９ａを軸筒２の内壁面に当接させて設けたものである。回転抑制部材１９には、前記第１の実施例のノック式ボールペン１の回転抑制部材１６と同様に、空気通路孔２１を設けてある。ボールペンレフィル６の空間部１２は、尾栓１１の空気抜孔１３と凹溝１４、回転抑制部材１９の空気通路孔２１、回転カム８の貫通空間部１８を通して軸筒２の外部と連通している。
【００２６】
ボールペンレフィル６は、回転抑制部材１９がボールペンレフィル６の後端部６ａの周側面６ａａと尾栓１１の周側面１１ａに当接することで、回転カム８の回転にともないボールペンレフィル６も回転可能となる。図示していないが、回転抑制部材１９の凹部２０の底面２０ａに尾栓１１の凹溝１４に係合可能な突起を設けて、回転カム８の回転にともないボールペンレフィル６が確実に回転するようにしても良い。ノック体４へのノック操作による回転カム８の回転の際には、回転抑制部材１９の周側面１９ａが軸筒２の内壁面に当接しており、それが抵抗となって回転カム８の回転力や回転スピードが弱まる。
【００２７】
図３に示す第３の実施例は、第１の実施例のノック式ボールペン１におけるボールペンレフィル６の後端６ａに挿着した尾栓１１を、ニトリルゴムで形成するとともに、ボールペンレフィル６の後端より突出した部分２２ａの周側面２２ａａが軸筒２の内壁面に当接するように設け、尾栓を回転抑制部材２２としたものである。回転抑制部材２２には、前記実施例のノック式ボールペン１の尾栓１１と同様に空気抜孔２３を設けてあり、回転抑制部材２２の後端面２２ｂには前記空気抜孔２３に接続した凹溝２４を設けてある。従来のノック式ボールペンの尾栓と同様に、ボールペンレフィル６の空間部１２は、回転抑制部材２２の空気抜孔２３と凹溝２４、回転カム８の貫通空間部１８を通して軸筒２の外部と連通している。
【００２８】
回転カム８の先端面８ａには、前記凹溝２４に係合可能な突起２５を設けてあり、該突起２５が前記凹溝２４に係合している。回転カム８の回転にともない、回転抑制部材２２を介してボールペンレフィル６も連動して回転可能となっている。ノック体４へのノック操作による回転カム８の回転の際には、回転抑制部材２２の周側面２２ａａが軸筒２の内壁面に当接しており、それが抵抗となって回転カム８の回転力や回転スピードが弱まる。
【００２９】
図４に示す第４の実施例は、第１の実施例におけるノック式ボールペン１において、ボールペンレフィル６のボールペンチップ（図示せず）が軸筒２内に没入した状態において、回転カム８の先端面８ａがカム溝３を構成する突片１０の先端１０ａより後方に位置したもので、従来のノック式ボールペンにおいて、ボールペンレフィル６の外周面に、ニトリルゴムからなる回転抑制部材２６を固着し、回転抑制部材２６の周側面２６ａが軸筒２の内壁面に当接させて設けてある。尾栓１１の後端面１１ａには空気抜孔１３に接続した凹溝１４を設けて有り、ボールペンレフィル６の空間部１２は、尾栓１１の空気抜孔１３と凹溝１４、回転カム８の貫通空間部１８を通して軸筒２の外部と連通している。また、回転カム８の係止部７に形成した突起１５が尾栓１１の凹溝１４に係合することで、回転カム８の回転にともない連動してボールペンレフィル６も回転可能となっている。
【００３０】
ノック体４へのノック操作による回転カム８の回転の際には、回転抑制部材２６の周側面２６ａが軸筒２の内壁面に当接しており、それが抵抗となって回転カム８の回転力や回転スピードが弱まる。
【産業上の利用可能性】
【００３１】
本発明は、軸筒内に配したカム溝、回転カム、固定カムおよびノック体とで構成されたノック式繰出機構を有した、ボールペンやマーカー等のノック式筆記具や、修正液等を収容した塗布具、化粧液等を収容したノック式の化粧具、描画用等の固形芯を備えた描画具等において、ノック操作時に発生するノック音を低減する場合に、利用することができる。
【図面の簡単な説明】
【００３２】
【図１】本発明の第１の実施例を示す、筆記体の筆記先端部が軸筒内に没入した状態において回転カムの先端面がカム溝を構成する突片の先端より前方に位置した繰出構造を有するノック式ボールペンの繰出機構部分の縦断面図である。
【図２】本発明の第２の実施例を示す、筆記体の筆記先端部が軸筒内に没入した状態において、回転カムの先端面がカム溝を構成する突片の先端より前方に位置した繰出構造を有するノック式ボールペンの繰出機構部分の縦断面図である。
【図３】本発明の第３の実施例を示す、筆記体の筆記先端部が軸筒内に没入した状態において回転カムの先端面がカム溝を構成する突片の先端より前方に位置した繰出構造を有するノック式ボールペンの繰出機構部分の縦断面図である。
【図４】本発明の第４の実施例を示す、筆記体の筆記先端部が軸筒内に没入した状態において回転カムの先端面がカム溝を構成する突片の先端より後方に位置した繰出構造を有するノック式ボールペンの繰出機構部分の縦断面図である。
【図５】従来のノック式ボールペンにおける、筆記体の筆記先端部が軸筒内に没入した状態において回転カムの先端面がカム溝を構成する突片の先端より前方に位置した繰出構造の部分の縦断面図である。
【図６】従来のノック式ボールペンにおける、筆記体の筆記先端部が軸筒内に没入した状態において回転カムの先端面がカム溝を構成する突片の先端より後方に位置した繰出構造の部分の縦断面図である。
【図７】一般的な固定カムの側面図である。
【図８】一般的な回転カムの側面図である。
【図９】ノック式筆記具におけるカム溝と、固定カムの凹凸部と突起と、回転カムの噛合部とカム突起の位置関係を示した概念図である。
【符号の説明】
【００３３】
１  ノック式ボールペン
２  軸筒
３  カム溝
４  ノック体
５  固定カム部
６  ボールペンレフィル
８  回転カム
１６、１９、２２、２６  回転抑制部材
【図１】
2009255427.tif 000003
【図２】
2009255427.tif 000004
【図３】
2009255427.tif 000005
【図４】
2009255427.tif 000006
【図５】
2009255427.tif 000007
【図６】
2009255427.tif 000008
【図７】
2009255427.tif 000009
【図８】
2009255427.tif 000010
【図９】
2009255427.tif 000011